(57)【要約】【課題】ユーザーが表示内容を容易に設定変更できて操作性が向上される表示装置を得る。【解決手段】表示装置は、リモコン送信機４０に制御モード切換えのための「制御モード切換え」スイッチ４１と、第１制御モード及び第２制御モードに共用される「Ａ／Ｂ」スイッチ４２とを有し、表示装置の本体は、「制御モード切換え」スイッチ４１が押圧操作される度に反転して、設定された制御モードを示す検出フラグを格納したメモリ部を備える。【選択図】　　図１
2004007055.tif 000002
【特許請求の範囲】
【請求項１】
少なくとも表示部を有する本体の表示内容をリモコン送信機により設定変更する表示装置において、
前記リモコン送信機は、第１制御モードと第２制御モードとに切換える制御モード切換用スイッチと、各制御モードの処理操作に共用される少なくとも１個の兼用スイッチとを備え、
前記本体は、前記制御モード切換用スイッチが押し下げられる度に反転して前記第１制御モード又は前記第２制御モードを設定する検出フラグを格納したメモリ部を備えることを特徴とする表示装置。
【請求項２】
前記リモコン送信機の兼用スイッチが押し下げられたとき、前記検出フラグが有りの場合には前記第１制御モードの処理を行い、前記検出フラグが無しの場合には前記第２制御モードの処理を行うことを特徴とする請求項１記載の表示装置。
【請求項３】
選択される制御モードに応じて前記表示内容を設定変更する際の表示の色を変更することを特徴とする請求項１又は２記載の表示装置。
【発明の詳細な説明】
【０００１】
【発明の属する技術分野】
本発明は、複数のＬＥＤなどの発光体をマトリックス状に配置し、文字、図形などを表示する表示装置に関し、特にリモコン送信機により表示内容の設定変更を行う表示装置に関するものである。
【０００２】
【従来の技術】
図８は、従来の表示装置の外観図を示したものである。
表示装置１００は本体１とリモコン送信機１０とから構成され、本体１は文字や画像を表示するために複数のＬＥＤなどの発光体をマトリックス状に配置した表示部２と、表示部２の表示内容を目立たせるために、表示部２の周囲に複数のＬＥＤなどの発光体を１列に配置したライン飾り部３と、本体１を支持する支持脚４とを備える。
【０００３】
本体１の表示内容は、リモコン送信機１０の遠隔操作により設定変更することができ、図９に示すように、ユーザーがリモコン送信機１０の操作面に配設された所定のボタンスイッチを押圧操作することで、リモコン送信機１０がこのボタンスイッチに対応したリモコン信号を本体１に対して送信し、本体１がリモコン信号を受信して表示内容の設定変更処理を行う。
【０００４】
例えば、ユーザーがライン飾り部３の色を変更しようとした場合、先ず、リモコン送信機１０の「機能１」スイッチ２０を押し下げる。これにより、所定のリモコン信号が発せられて、本体１の表示部２には、図１０（ａ）に示されるような、輝度２５及びライン飾り設定２６の２種類の選択メニューが表示される。
【０００５】
次に、ユーザーがリモコン送信機１０の「▲」スイッチ２２又は「▼」スイッチ２１によりカーソル２７を動かし、ライン飾り設定２６にカーソル２７を合わせて、「決定」スイッチ２３を押し下げると、表示装置１００は表示部２に、図１０（ｂ）に示すような、ライン飾り２８、ライン色２９及びライン速度３０からなる下層階の選択メニューを表示する。次に、「▲」スイッチ２２又は「▼」スイッチ２１を用いてカーソル２７を動かし、ライン色２９の設定に合わせて、「決定」スイッチ２３を押し下げると、表示部２には、図１０の（ｃ）に示されるような赤３１と緑３２と青３３からなる深層階の選択メニューが表示される。次に、「▲」スイッチ２２又は「▼」スイッチ２１により、例えば、赤３１にカーソル２７を合わせ、「決定」スイッチ２３を押し下げることにより、ライン飾り部３の色を赤色に設定する設定変更操作が完了する。
なお、リモコン送信機１０には、上記したスイッチ類の外に、表示部２に文字や画像を表示させるための複数のスイッチ群２４が設けられている。
【０００６】
【発明が解決しようとする課題】
しかしながら、上記の従来装置１００で表示内容などの設定変更を行う場合、既述したようにリモコン送信機１０の所定の機能スイッチを選択操作して、表示部２に設定変更しようとする選択メニューを表示させてから、カーソルと決定スイッチとを繰り返し押圧操作して徐々に下層階へ進んで、設定変更を行う。このため、所望の制御モードの設定メニュー画面になるまでにボタンスイッチを多数回にわたって操作しなければならず、手間がかかって操作性が悪いという問題があった。このような問題を解決するためには、変更する設定項目毎に、スイッチを割り当てることが考えられるが、このような方法では、スイッチ数を増加させてかえって操作性が悪くなるばかりか、リモコン送信機を大型化させてしまうという新たな課題を生じる。
【０００７】
本発明は上記課題に鑑みなされたもので、リモコン送信機のスイッチ数を増やすことなく容易に表示内容の設定変更を行うことができる表示装置を提供することを目的とする。
【０００８】
【課題を解決するための手段】
上記目的を達成するために、本発明に係る表示装置は、請求項１記載のように、本体の表示内容をリモコン送信機により設定変更する表示装置において、
前記リモコン送信機は、第１制御モードと第２制御モードとに切換える制御モード切換用スイッチと、各制御モードの処理操作に共用される少なくとも１個の兼用スイッチとを備え、
前記本体は、前記制御モード切換用スイッチが押し下げられる度に反転して前記第１制御モード又は前記第２制御モードを設定する検出フラグを格納したメモリ部を備えることを特徴とする。
【０００９】
なお、請求項２記載のように、前記リモコン送信機の兼用スイッチが押し下げられたとき、前記検出フラグが有りの場合には前記第１制御モードの処理を行い、前記検出フラグが無しの場合には前記第２制御モードの処理を行うようにしても良い。
また、請求項３記載のように、選択される制御モードに応じて前記表示内容を設定変更する際の表示の色を変更するようにしても良い。
【００１０】
このように構成された表示装置は、制御モード切換用スイッチが操作される度に第１制御モードと第２制御モードとに切換えられると共に、兼用スイッチが、切換えられたそれぞれの制御モードにおいて共用できる２機能を有しているので、制御モード切換用スイッチを操作し、さらに兼用スイッチを操作することで、所望の表示内容の設定変更を行うための選択メニュー画面（階層）を容易に表示できる。
【００１１】
【発明の実施の形態】
以下、本発明に係る表示装置の好適な実施の形態を図面に基づいて詳細に説明する。
図１は本発明の第１の実施の形態の表示装置に用いられるリモコン送信機の構成図、図２は同じく本実施の形態による表示装置の本体の内部回路を示す構成図、図３は表示装置の動作を説明するためのフローチャートである。なお、表示装置の本体の外観は、先の従来技術で説明した構成と同一であるので、同一符号を用いて説明を省略する。
この実施の形態の表示装置は、少なくとも表示部２を有した本体１（共に図８参照）と本体１の表示内容を遠隔操作により設定変更できるリモコン送信機４０とから構成される。
【００１２】
リモコン送信機４０は、操作面に「制御モード切換え」スイッチ４１と、「制御モード切換え」スイッチ４１によって切換えられた第１制御モードと第２制御モードの何れのモード下でも使用される兼用スイッチとしての「Ａ／Ｂ」スイッチ４２とを備える。
なお、第１制御モード及び第２制御モードは、表示内容の設定変更を行うための一連の制御処理を実行するものである。
【００１３】
本体１の内部回路１１は、図２に示すように、本体１の表示内容の設定を行う制御部１２、制御部１２が動作するためのプログラム及び変数を格納するメモリ部１３、リモコン送信機４０からのリモコン信号を受信するためのリモコン信号受信部１４、表示部２の発光体へ駆動電流を流す表示ドライバ部１５及び、時計用ＩＣ１６から構成される。
メモリ部１３には、後述する制御モード切換え信号に応じてフラグ信号を立てる、つまり「０」か「１」を択一的に選択して内蔵する検出フラグが格納される。
【００１４】
次に、本実施の形態による表示装置の動作を図３に基づいて説明する。
先ず、ユーザーは、リモコン送信機４０の何れかのボタンスイッチを押圧操作してリモコン信号を表示装置の本体１に対し送信する。
表示装置の本体１は、リモコン送信機４０で押圧操作されたボタンスイッチに対応したリモコン信号をリモコン信号受信部１４で受信（ステップＳ６０）する。
【００１５】
制御部１２は、この受信したリモコン信号が「制御モード切換え」スイッチ４１に対応した制御モード切換え信号であるか否かを判断する（ステップＳ６１）。判断の結果、受信信号が制御モード切換え信号でない場合、すなわち、「Ａ／Ｂ」スイッチ４２に対応した操作信号であった場合、制御部１２は、次に、メモリ部１３に格納された検出フラグが１か否かを判断する（ステップＳ６５）。
メモリ部１３の検出フラグが１の場合、制御部１２は、押圧操作された「Ａ／Ｂ」スイッチ４２に基づいて第１制御モードのＡ処理を行う（スッテプＳ６７）。一方、検出フラグが０の場合、制御部１２は、押圧操作された「Ａ／Ｂ」スイッチ４２に基づいて第２制御モードのＢ処理を行う（スッテプＳ６８）。つまり、兼用スイッチである「Ａ／Ｂ」スイッチ４２は、検出フラグの状態に応じて、Ａ処理又はＢ処理を実行するために機能する。
【００１６】
もとのステップに戻って、ステップＳ６１の判断の結果、受信したリモコン信号が、制御モード切換え信号であった場合に、制御部１２は、次に、メモリ部１３に格納された検出フラグが１か否かを判断する（ステップＳ６２）。
メモリ部１３の検出フラグが１の場合、制御部１２は、検出フラグを０に設定（ステップＳ６３）して、ステップＳ６０に戻る。一方、検出フラグが１でない場合、検出フラグを１に設定（ステップＳ６４）し、ステップＳ６０に戻る。
【００１７】
すなわち、制御部１２は、最先に受信したリモコン信号が制御モード切換え信号であれば、検出フラグを変更した後、次に兼用スイッチに応じたリモコン信号を受信するまで、上記の一連の判断処理を繰り返す。そして、兼用スイッチが押圧操作されると、直ちに所定の制御モードの設定処理を実行する。一方、最先に受信したリモコン信号が「Ａ／Ｂ」スイッチ４２に対応した操作信号であれば、制御部１２は、そのときの検出フラグの状態に応じた制御モードの設定処理を実行する。
したがって、従来装置に比べ所望の設定変更を行う選択メニュー画面（階層）に到達するまでのボタンスイッチの操作回数が大幅に低減できて、設定変更の操作性の向上が図れる。
【００１８】
なお、上記した実施の形態は、リモコン送信機の兼用スイッチが、１個の場合について説明したが、本発明はこれに限るものではなく、複数のボタンスイッチを兼用スイッチとして構成することもできる。
【００１９】
次に、本発明に係る第２の実施の形態として、兼用スイッチが複数個の場合について、図４乃至図５を参照して説明する。なお、この実施の形態における表示装置の本体の構成は先の実施の形態と同じであるので、説明は省略する。また、兼用スイッチが１個の場合を説明した先の図３のフローチャートのステップＳ６５までの処理は同じであるので説明は省略する。
【００２０】
リモコン送信機７５は、操作面に「制御モード切換え」スイッチ４１と、３個の兼用スイッチとなる、「Ａ／Ｘ」スイッチ７０、「Ｂ／Ｙ」スイッチ７１及び、「Ｃ／Ｚ」スイッチ７２とを備える。
【００２１】
「Ａ／Ｘ」スイッチ７０は、「制御モード切換え」スイッチ４１によって制御モードが切換えられときに、第１制御モードのＡ処理又は第２制御モードのＸ処理を実行するために共用される。
「Ｂ／Ｙ」スイッチ７１は、「制御モード切換え」スイッチ４１によって制御モードが切換えられときに、第１制御モードのＢ処理又は第２制御モードのＹ処理を実行するために共用される。
「Ｃ／Ｚ」スイッチ７２は、「制御モード切換え」スイッチ４１によって制御モードが切換えられときに、第１制御モードのＣ処理又は第２制御モードのＺ処理を実行するために共用される。
【００２２】
次に、この実施の形態での表示装置の動作を図５に基づいて説明する。
この実施の形態では、既述したように、ステップＳ６５の判断以降の処理が異なる。ステップＳ６５での判断の結果、検出フラグが１でない場合、制御部１２は受信信号が「Ａ／Ｘ」スイッチ７０を押圧操作したときに送信されるＡ／Ｘ信号か否かを判断（ステップＳ８０）し、Ａ／Ｘ信号であると判断した場合には、第１制御モードのＡ処理を実行する（ステップＳ８２）。一方、ステップＳ８０での判断の結果、Ａ／Ｘ信号でないと判断した場合、制御部１２は受信信号が「Ｂ／Ｙ」スイッチ７１を押圧操作したときに送信されるＢ／Ｙ信号か否かを判断（ステップＳ８１）し、Ｂ／Ｙ信号であると判断した場合には、第１制御モードのＢ処理を実行する（ステップＳ８３）。ステップＳ８１での判断の結果、Ｂ／Ｙ信号でないと判断した場合、制御部１２は第１制御モードのＣ処理を実行する（ステップＳ８４）。
【００２３】
もとのステップに戻って、ステップＳ６５の判断の結果、検出フラグが１の場合、制御部１２は受信信号が「Ａ／Ｘ」スイッチ７０を押圧操作したときに送信されるＡ／Ｘ信号か否かを判断（ステップＳ８５）し、Ａ／Ｘ信号であると判断した場合には、第２制御モードのＸ処理を実行する（ステップＳ８７）。一方、ステップＳ８５での判断の結果、Ａ／Ｘ信号でないと判断した場合、制御部１２は受信信号が「Ｂ／Ｙ」スイッチ７１を押圧操作したときに送信されるＢ／Ｙ信号か否かを判断（ステップＳ８６）し、Ｂ／Ｙ信号であると判断した場合には、第２制御モードのＹ処理を実行する（ステップＳ８８）。ステップＳ８６での判断の結果、Ｂ／Ｙ信号でないと判断した場合、制御部１２は第２制御モードのＺ処理を実行する（ステップＳ８９）。
したがって、複数個の兼用スイッチの設定により、設定変更される選択項目が増加した場合であっても、従来装置に比べて所定の階層に到達するまでのボタンスイッチの操作回数が大幅に低減できて、設定変更時の操作性の向上が図れる。
【００２４】
次に、本発明の第３の実施の形態について図６を参照して説明する。
この実施の形態では、表示内容の設定変更時に、選択された制御モードが一目瞭然となるように、表示部の背景色（バックライト）を、選択された制御モードに応じて変更するようにしたことにある。そこで、先の第１の実施の形態の表示装置において表示部の色の変更が行われる場合を例として説明して、図３により説明した動作と重複する箇所は説明を省略する。
また、本実施の形態では、第１制御モードが選択された場合には表示部の背景色を緑色に変更し、第２制御モードが選択された場合には赤色に変更する場合について説明する。
【００２５】
制御部１２は、受信したリモコン信号が制御モード切換え信号であると判断し、且つ、メモリ部１３に格納された検出フラグが１か否かを判断（ステップＳ６２）して、検出フラグが１であった場合には、検出フラグを０に設定（ステップＳ６３）した後、表示部の背景色を緑色に設定する（ステップＳ９０）。一方、ステップＳ６２の判断で、検出フラグが１でなかった場合には、検出フラグを１に設定（ステップＳ６４）した後、表示部２の背景色を赤色に設定する（ステップＳ９１）。なお、上記の各構成要素の符号は、図２及び図８を参照している。
各背景色の色が設定された後は、既述した以降の処理動作に進む。
【００２６】
このように、選択された制御モードに応じて表示部２の背景色が変更されることで、ユーザーは、設定されている制御モードが、どちらのモードか簡単に認識することができる。なお、背景色を赤色と緑色で説明したが、これに限るものではない。また、色の変更は、背景色に限らず、表示部に表記される文字や画像とすることもできる。さらに、表示部に限らず、ライン飾りの色とすることもできる。
【００２７】
次に、本発明に係る表示装置の具体例を図７により説明する。
この具体例では、リモコン送信機の操作面に配設されるボタンスイッチの配置を示す。
リモコン送信機２００の操作面には、電源投入を行う「ＯＮ／ＯＦＦ」スイッチ２０１に並び、制御モード切換えスイッチである「文字入力」スイッチ２０２が配設される。また、従来装置において表示部２の表記内容を設定するための複数個（９個）のスイッチ群２４（図９参照）に対応してスイッチ群２０４が設けられている。これらのスイッチ群２０４は、従来装置においては表記内容を設定するだけの単機能でしかなかったのを、本発明では、選択される各制御モードにおいて共に使用できる多機能を有した兼用スイッチとして機能する。すなわち、「文字入力」スイッチ２０６が押圧操作される度に、兼用スイッチ２０４は、文字や画像などの入力を行うための制御モードと表示内容の設定変更を行うための制御モードに共用される。
【００２８】
さらに、従来の「機能」スイッチに代わって「ライン飾り」スイッチ２０５、「ライン速度」スイッチ２０６、「ライン色」スイッチ２０７が配設されている。したがって、従来の制御方法では、ライン飾りの色設定を行うメニュー画面を表示させるのに、複数回ボタンスイッチを押圧操作する必要があったのを、本例では、「ライン色」スイッチ２０７を操作するだけで表示させることができる。なお、上記のスイッチ群の他に、「カソール移動用」スイッチ、「決定」スイツチは従来装置と同様に設けられている。
【００２９】
【発明の効果】
以上述べたように、本発明に係る表示装置によれば、第１制御モードと第２制御モードとに切換える１個の制御モード切換用スイッチと、第１制御モード及び第２制御モードに共用できて多機能を有する少なくとも１個の兼用スイッチを備える構成としたので、スイッチ数を増やすことなく、ユーザーがリモコン送信機を用いて、表示装置を制御する際に、スイッチの操作回数を少なくして、表示内容の設定変更時の操作性を向上できる。
【図面の簡単な説明】
【図１】本発明に係る表示装置の第１の実施形態でのリモコン送信機のボタンスイッチの配置を示す図である。
【図２】本発明に係る表示装置の内部回路を示すブロック図である。
【図３】本発明に係る表示装置の第１の実施形態での動作を説明するフローチャートである。
【図４】本発明に係る表示装置の第２の実施形態でのリモコン送信機のボタンスイッチの配置を示す図である。
【図５】本発明に係る表示装置の第２の実施形態での動作を説明するフローチャートである。
【図６】本発明に係る表示装置の第３の実施形態での動作を説明するフローチャートである。
【図７】リモコン送信機の具体的なボタンスイッチの配置を示す図である。
【図８】表示装置を説明する外観構成図である。
【図９】従来装置でのリモコン送信機のボタンスイッチの配置を示す図である。
【図１０】従来の表示装置のメニュー画面を示す図である。
【符号の説明】
１本体
２表示部
１１内部回路
４０、７５、２００　リモコン送信機
４１　「制御モード切換え」スイッチ
４２、７０、７１，７２　兼用スイッチ
【図１】
2004007055.tif 000003
【図２】
2004007055.tif 000004
【図３】
2004007055.tif 000005
【図４】
2004007055.tif 000006
【図５】
2004007055.tif 000007
【図６】
2004007055.tif 000008
【図７】
2004007055.tif 000009
【図８】
2004007055.tif 000010
【図９】
2004007055.tif 000011
【図１０】
2004007055.tif 000012